(57)【要約】      （修正有）【課題】ガラスレンズ１枚樹脂レンズ３枚の４枚構成によって、高い光学性能を持ちつつ、画面周辺部を大きく写し、レンズの形状等を適切に設定することにより、小型、薄型の広角撮像レンズを提供する。【解決手段】物体側から順に、物体側に凸面を向け負の屈折力を有し撮像側の面が非球面をなすメニスカス第１樹脂レンズ１１０と、負の屈折力を有し撮像側の面が非球面をなす第２樹脂レンズ１２０と、物体側に凸面を向け正の屈折力を有し物体側と撮像側の面が球面をなす正の第３ガラスレンズ１３０と、開口絞り１４０と、撮像側に凸面を向け正の屈折力を有し撮像側の面が非球面となる第４樹脂レンズ１５０より構成され、第１レンズ１１０、第２レンズ１２０および第４レンズ１５０を構成する材料のｄ線に対するアッベ数が５０以上に、第３レンズ１３０を構成する材料のｄ線に対するアッベ数が４０以下に、それぞれ設定する。【選択図】図１
2014186178.tif 000002
【特許請求の範囲】
【請求項１】
物体側から順に、物体側に凸面を向け像側の面が非球面をなすメニスカス形状で負の屈折力を有する樹脂材料の第１レンズと、像側の面が非球面をなす負の屈折力を有する樹脂材料の第２レンズと、物体側に凸面を向け物体側と像側の両面が球面をなす正の屈折力を有するガラス材料の第３レンズと、開口絞りと、像側に凸面を向けた非球面をなす樹脂材料の第４レンズとを備え、
前記第１レンズを構成する材料のｄ線に対するアッベ数が５０以上に、前記第２レンズを構成する材料のｄ線に対するアッベ数が５０以上に、前記第３レンズを構成する材料のｄ線に対するアッベ数が４０以下に、前記第４レンズを構成する材料のｄ線に対するアッベ数が５０以上に、それぞれ設定されることを特徴とする撮像レンズ。
【請求項２】
ｄ線における前記第１レンズと前記第２レンズの合算焦点距離をｆ１２（ｍｍ）とし、光学系の焦点距離をｆ（ｍｍ）とするとき、下記の条件式を満足することを特徴とする請求項１に記載の撮像レンズ。
【数１】
2014186178.tif 000023
【請求項３】
ｄ線における前記第３レンズと前記第４レンズの合算焦点距離をｆ３４（ｍｍ）とするとき、下記の条件式を満足することを特徴とする請求項２に記載の撮像レンズ。
【数２】
2014186178.tif 000024
【請求項４】
撮像面の水平方向の全幅に入射する光線の全画角を２Ｗとするとき、以下の条件式を満足することを特徴とする請求項１乃至３のいずれかに記載の撮像レンズ。
【数３】
2014186178.tif 000025
【請求項５】
撮像面の前記水平方向の全幅より小さい垂直方向の全幅に入射する光線の全画角を２Ｖとするとき、以下の条件式を満足することを特徴とする請求項１乃至４のいずれかに記載の撮像レンズ。
【数４】
2014186178.tif 000026
【請求項６】
ｄ線における前記第１レンズの焦点距離をｆ１（ｍｍ）、ｄ線における前記第２レンズの焦点距離をｆ２（ｍｍ）、ｄ線における前記第３レンズの焦点距離をｆ３（ｍｍ）、ｄ線における前記第４レンズの焦点距離をｆ４（ｍｍ）とし、ｄ線における光学系の焦点距離をｆ（ｍｍ）とするとき、下記の条件式を満足することを特徴とする請求項１乃至５のいずれかに記載の撮像レンズ。
【数５】
2014186178.tif 000027
【請求項７】
前記第１レンズの物体側面にはハードコートを塗布する事を特徴とする請求項１乃至６のいずれかに記載の撮像レンズ
【請求項８】
前記第１乃至第７請求項のいずれかに記載の撮像レンズと、当該撮像レンズにより形成される光学像を電気信号に変換する撮像素子とを備える撮像装置。
【発明の詳細な説明】
【技術分野】
【０００１】
本発明は、監視用カメラや車載用カメラ等、固体撮像素子を備えた撮像装置に用いられる撮像レンズ、特に単焦点の広角撮像レンズ、およびそれを用いた撮像装置に関する。
【背景技術】
【０００２】
監視用カメラや車載用カメラに用いられる撮像レンズには、広画角を確保しながら画面中心と比べて画面周辺部の視認性を要求される事が多い為、画面周辺の像倍率を大きく結像性能が良いことが要求される。また、設置・搭載スペースが限られることが多いなどから小型で軽量であることが要求される。
【０００３】
これらの要望に対応し得る可能性がある単焦点の広角撮像レンズとして、下記の特許文献１が提案されている。しかしながら、この特許文献１に記載される単焦点レンズでは、設計上高い結像性能を持たせるために、非球面を多用し第１レンズをガラス、第２レンズ以降が樹脂３枚とパワー配置が悪く、製造や実使用上で問題が発生してしまう。
【０００４】
製造上の課題として、第１ガラスレンズの撮像側面の曲率がきつくなり、歩留まりの低下を招く。また、実使用上の課題として、第一に性能保証温度に問題がある。車に搭載するカメラモジュールとなると低温から高温まで幅広い温度領域において性能を満足することを要求される。しかしながら下記特許文献１においては、前述の通りガラスレンズと樹脂レンズのパワーバランスが悪い事から性能を保証できる温度領域が狭くなる。理由は、ガラスレンズに比べて樹脂レンズは、温度による化学的変化、物理的変化が大きいため、温度変化に伴い設計から形状が乖離してくるからである。
【先行技術文献】
【特許文献】
【０００５】
【特許文献１】特開２０１０−０５４６４６号公報
【発明の概要】
【発明が解決しようとする課題】
【０００６】
本発明は、かかる事情に鑑みて成されたものであり、目的とするのは、ガラスレンズ１枚樹脂レンズ３枚の４枚構成においてレンズの形状等を適切に設定することによって、高い光学性能を持ちつつ、画面周辺部を大きく写すことが可能な小型、薄型の広角撮像レンズを提供することである。
【課題を解決するための手段】
【０００７】
上記目的を達成するため、本発明の撮像レンズは物体側から順に、物体側に凸面を向け負の屈折力を有し撮像側の面が非球面をなすメニスカス第１樹脂レンズと、負の屈折力を有し撮像側の面が非球面をなす第２樹脂レンズと、物体側の面に凸面を向け正の屈折力を有し物体側と撮像側の面が球面をなす正の第３ガラスレンズと、開口絞りと、撮像側の面に凸面を向け正の屈折力を有し撮像側の面が非球面となる第４樹脂レンズより構成され、前記第１レンズを構成する材料のｄ線に対するアッベ数が５０以上に、前記第２レンズを構成する材料のｄ線に対するアッベ数が５０以上に、前記第３レンズを構成する材料のｄ線に対するアッベ数が４０以下に、前記第４レンズを構成する材料のｄ線に対するアッベ数が５０以上に、それぞれ設定される。
【０００８】
好適には、ｄ線における前記第１レンズと前記第２レンズの合算焦点距離をｆ１２（ｍｍ）とし、光学系の焦点距離をｆ（ｍｍ）とするとき、下記条件式（１）を満足する。
【０００９】
【数１】
2014186178.tif 000003
更に好適には、ｄ線における前記第３レンズと前記第４レンズの合算焦点距離をｆ３４（ｍｍ）とし、光学系の焦点距離をｆ（ｍｍ）とするとき、下記条件式（２）を満足する。
【００１０】
【数２】
2014186178.tif 000004
更に好適には、撮像面での最大水平位置に入射する光線の全画角を２Ｗとするとき、下記条件式（３）を満足する。
【００１１】
【数３】
2014186178.tif 000005
更に好適には、撮像面での最大垂直位置に入射する光線の全画角を２Ｖとするとき、下記条件式（４）を満足する。
【００１２】
【数４】
2014186178.tif 000006
更に好適には、ｄ線における前記第１レンズの焦点距離をｆ１（ｍｍ）、ｄ線における前記第２レンズの焦点距離をｆ２（ｍｍ）、ｄ線における前記第３レンズの焦点距離をｆ３（ｍｍ）、ｄ線における前記第４レンズの焦点距離をｆ４（ｍｍ）とし、光学系の焦点距離をｆ（ｍｍ）とするとき、下記条件式（５）乃至（８）を満足する。
【００１３】
【数５】
2014186178.tif 000007
更に好適には、前記第１レンズの物体側面にはハードコートを塗布する事を特徴とする。
【００１４】
上記課題を解決するため、本発明の撮像装置は、上述のいずれかの撮像レンズと、その撮像レンズにより形成される光学像を電気信号に変換する撮像素子とを備える。
【発明の効果】
【００１５】
本発明によれば、４枚構成によって小型、薄型でありながら、レンズの形状、非球面の形状等を適切に設定することにより、高い光学性能を持ちつつ、周辺が大きく写る広角撮像レンズを提供することができる。その結果、監視カメラや車載用カメラに搭載可能なコンパクトな広角撮像レンズを実現することができる。
【図面の簡単な説明】
【００１６】
【図１】本実施形態の撮像レンズのレンズ構成を示す図である。
【図２】本実施形態の実施例１におけるレンズ系の基本構成を示す図である。
【図３】本実施形態の実施例１における球面収差、および非点収差を示す収差図である。
【図４】本実施形態の実施例２におけるレンズ系の基本構成を示す図である。
【図５】本実施形態の実施例２における球面収差、および非点収差を示す収差図である。
【図６】本実施形態の実施例３におけるレンズ系の基本構成を示す図である。
【図７】本実施形態の実施例３における球面収差、および非点収差を示す収差図である。
【図８】本実施形態の実施例４におけるレンズ系の基本構成を示す図である。
【図９】本実施形態の実施例４における球面収差、および非点収差を示す収差図である。
【図１０】本発明の実施形態の撮像装置の基本構成を示す図である。
【発明を実施するための形態】
【００１７】
以下、図面を参照しながら、本発明の実施形態を詳細に説明する。図１に実施の形態の撮像レンズ構成をそれぞれ光学断面で示す。これらの実施形態は、図１の１００Ａに示すように、物体側から順に、第１レンズ１１０、第２レンズ１２０、第３レンズ１３０、開口絞り１４０、第４レンズ１５０、ＩＲＣＦまたはカバーガラス１６０、ＣＣＤ(Charge Coupled Device)やＣＭＯＳ(Complementary Mental-Oxide Semiconductor device)等の撮像素子の受光面である結像面１７０が配置される４枚構成の撮像レンズ１００である。
【００１８】
そして、第１レンズ１１０は、物体側に凸面を向け負の屈折力を有し撮像側の面が非球面をなすメニスカス凹レンズであり、第２レンズ１２０は、負の屈折力を有し撮像側の面が非球面をなす凹レンズであり、第３レンズ１３０は、物体側の面に凸面を向け正の屈折力を有し物体側と撮像側の面が球面をなす凸レンズであり、第４レンズ１５０は、撮像側の面に凸面を向け正の屈折力を有し撮像側の面が非球面となる凸レンズである。ここで、図１の１００Ａに記載の１（Ｒ１）〜１２（Ｒ１２）は、各構成要件の面番号である。
【００１９】
第１レンズ、第２レンズ、第４レンズは樹脂材料により構成されている。このように、樹脂材料で構成することにより、軽量化や低コスト化が実現できるとともに、非球面形状の作製が容易となる。更に、第３レンズ１３０は高分散のガラス材料で構成することにより、倍率の色収差を良好に補正することが可能となる。
【００２０】
また、第１レンズ１１０を構成する材料のｄ線に対するアッベ数は５０以上に、第２レンズ１２０を構成する材料のｄ線に対するアッベ数は５０以上に、第３レンズ１３０を構成する材料のｄ線に対するアッベ数は４０以下に、第４レンズ１５０を構成する材料のｄ線に対するアッベ数は５０以上に、それぞれ設定される。
【００２１】
このように、開口絞り１４０よりも物体側にある負レンズの第１レンズ１１０と第２レンズ１２０と開口絞り１４０よりも撮像側にある正レンズの第４レンズ１５０を構成する材料のｄ線に対するアッベ数を大きくすることで、第１レンズ１１０および第２レンズ１２０、第４レンズ１５０で発生する倍率色収差が小さくなる。また同じく開口絞り１４０よりも物体側にある正レンズの第３レンズ１３０を構成する材料のｄ線に対するアッベ数を小さくすることで倍率の色収差を良好に補正できる。
【００２２】
また、ｄ線における第１レンズ１１０と第２レンズ１２０の合算焦点距離をｆ１２（ｍｍ）とし、光学系（撮像レンズ１００）全体の焦点距離をｆ（ｍｍ）とするとき、下記の条件式（１）を満足するように構成される。
【００２３】
【数６】
2014186178.tif 000008
上記条件式（１）を満たすように構成することで、広角レンズのパワーバランスを最適にする事が可能となる。第１レンズ１１０と第２レンズ１２０の合算焦点距離を、光学系の焦点距離にあわせる事で第３レンズ１３０と第４レンズ１５０の交換のみで焦点距離の変化、換言すれば画角を変化させる事が可能となる。第３レンズ１３０と第４レンズ１５０の変化のみで画角を変える光学系を実現するには上記条件式（１）を満足する必要がある。
【００２４】
また、ｄ線における第３レンズ１３０と第４レンズ１５０の合算焦点距離をｆ３４（ｍｍ）とし、光学系（撮像レンズ１００）全体の焦点距離をｆ（ｍｍ）とするとき、下記の条件式（２）を満足するように構成される。
【００２５】
【数７】
2014186178.tif 000009
上記条件式（１）を前提として第３レンズ１３０と第４レンズ１５０の合算焦点距離が上記条件式（２）を満足する範囲で変動させることで画角を変えることが可能となる。
【００２６】
また、撮像面の水平方向の全幅に入射する光線の全画角を２Ｗとし、撮像面水平方向の全幅より小さい垂直方向の全幅に入射する光線の全画角を２Ｖとするとき、以下の条件式（３）および（４）を満足するように構成される。
【００２７】
【数８】
2014186178.tif 000010
上記条件式（３）および条件式（４）を満たすように構成することで、画面周辺部の物体を大きく写すことが可能となる。例えば車載用カメラを想定した場合に運転者の死角となる広い範囲を撮像する必要があり、特に水平方向については上記条件式（３）のように広い画角を満足することが求められる。また、垂直方向については水平方向ほど広い画角は求められないが、撮像面のアスペクト比によらず水平方向の画角に対してある一定の関係にあることが、像性能を維持したうえで画面周辺部を大きく写すために望まれる。上記条件式（４）については、垂直画角が大きいと、周辺倍率としては有利だが高い光学性能を維持することが困難となる。特に倍率色収差の補正が困難となり周辺の像性能が劣化する傾向にある。逆に垂直画角が小さいと周辺が小さく写り本特許の目的となる周辺の視認性が低下することとなる。よって、光学性能を維持しつつ周辺部を大きく写すために垂直画角は上記条件式（４）を満足することが求められる。
【００２８】
また、ｄ線における第１レンズ１１０の焦点距離をｆ１（ｍｍ）、ｄ線における第２レンズ１２０の焦点距離をｆ２（ｍｍ）、ｄ線における第３レンズ１３０の焦点距離をｆ３（ｍｍ）、ｄ線における第４レンズ１５０の焦点距離をｆ４（ｍｍ）とし、光学系の焦点距離をｆ（ｍｍ）とするとき、下記の条件式を満足するように構成される。
【００２９】
【数９】
2014186178.tif 000011
このような条件を満たすように構成することで、高い光学性能を満足する事が可能となる。
【００３０】
上記条件式（５）の下限値を超えると、負の屈折力が大きくなり、倍率の色収差の補正は容易となるが、第１レンズ１１０の像側面の曲率が小さくなりすぎてしまい、製造が難しくなる。上限値を超えると、第１レンズ１１０の物体側面の曲率が小さくなるために有効径が大きくなり、レンズ系の小型化が難しくなるとともに、広い画角を得るために必要な負の屈折力を第２レンズ１２０の像側面のみで補うことになり、曲率が小さくなりすぎてしまう。
【００３１】
上記条件式（６）の下限値を超えると負の屈折力が強くなるために第２レンズ１２０の像側面の曲率が小さくなりすぎてしまう。また、それに伴って第３レンズ１３０の物体側面の曲率も小さくなりすぎてしまうために、製造が難しくなる。上限値を超えると、負の屈折力が不足するために倍率の色収差の補正が困難になる。
上記条件式（７）の上限値を超えると、正の屈折力が不足するために倍率の色収差の補正が困難になる。下限値を超えると第３レンズ１３０物体側面の曲率が小さくなりすぎてしまうために、製造が難しくなる。
【００３２】
第４レンズ１５０の、特に像側面は収差の補正を大きく行なっているため、上記条件式（８）の上限値を超えると、正の屈折力が小さくなりすぎて、緒収差の補正が困難になる。逆に下限値を超えると、第４レンズ１５０の像側面の曲率が小さくなりすぎてしまうために、製造が難しくなる。
【００３３】
なお、図１の１００Ａに示すように、物体側より入射した光は、第１レンズ１１０の物体側Ｒ１面１、撮像面側Ｒ２面２、第２レンズ１２０の物体側Ｒ３面３、撮像面側Ｒ４面４、第３レンズ１３０の物体側Ｒ５面５、撮像面側Ｒ６面６、開口絞り１４０の面７、第４レンズ１５０の物体側Ｒ７面８、撮像面側Ｒ８面９、カバーガラス１６０の物体側Ｒ９面１０、撮像面側Ｒ１０面１１を順次通過し撮像素子の結像面１７０である面１２へと集光される。
【００３４】
また、図１の１００Ｂに示すように、光軸上において、第１レンズ１１０の厚さとなるＲ１面１とＲ２面２間の距離をＤ１、第１レンズ１１０のＲ２面２と第２レンズ１２０のＲ３面３までの距離をＤ２、第２レンズ１２０の厚さとなるＲ３面３とＲ４面４間の距離をＤ３、第２レンズ１２０のＲ４面４と第３レンズ１３０のＲ５面５間の距離をＤ４、第３レンズ１３０の厚さとなるＲ５面５とＲ６面６間の距離をＤ５、第３レンズ１３０のＲ６面６と開口絞り１４０の面７までの距離をＤ６、開口絞り１４０の面７と第４レンズ１５０のＲ８面８間の距離をＤ７、第４レンズ１５０の厚さとなるＲ８面８とＲ９面９間の距離をＤ８、第４レンズ１５０のＲ面９とカバーガラス１６０の物体側Ｒ９面１０間の距離をＤ９、カバーガラス１６０の厚さとなるＲ９面１０とＲ１０面１１間の距離をＤ１０、カバーガラス１６０のＲ１０面１１と面１２間の距離をＤ１１とする。
【００３５】
なお、以下の数値実施例の中で記載されるレンズの非球面の形状は、物体側から撮像面側へ向かう方向を正とし、ｋを円錐係数、Ａ、Ｂ、Ｃ、Ｄを非球面係数、ｒを中心曲率半径としたとき次式で表される。ｈは光線の高さ、ｃは中心曲率半径の逆数をそれぞれ表している。ただし、Ｚは面頂点に対する接平面からの深さを、Ａは４次の非球面係数を、Ｂは６次の非球面係数を、Ｃは８次の非球面係数を、Ｄは１０次の非球面係数をそれぞれ表している。
【００３６】
【数１０】
2014186178.tif 000012
【００３７】
以下に、撮像レンズ１００（１００Ａ、１００Ｂ）の具体的な数値による実施例１〜４を示す。実施例１〜４の数値において、焦点距離、Ｆナンバー、水平画角、垂直画角、像高、レンズ全長、バックフォーカス（ｂｆ）は次の表１に記載の通りである。また、同じく実施例１〜４の数値において、条件式（１）〜（８）の数値データは、次の表２に記載の値になる。
【００３８】
なお、実施例１〜４を示す図面である、図２、図４、図６、図８に示す符号１０１乃至１０６は、図１に示す撮像レンズ１００と同様の構成であるため、各構成要件の符号、面符号、距離符号の記載を省略する。また、図５、図７、図９は、図３に示すｃ線、ｄ線、およびｇ線の記載と同様であるため、記載を省略する。
【００３９】
【表１】
2014186178.tif 000013
【００４０】
【表２】
2014186178.tif 000014
【実施例１】
【００４１】
実施の形態１における撮像レンズ１０１の基本構成は図２に示され、各数値データ（設定値）は表３、表４に、球面収差、および非点収差を示す収差図は図３にそれぞれ示される。図３は、実施例１において、左が球面収差を、右が非点収差をそれぞれ示している。縦収差図の縦軸は、瞳径を１に正規化したもので、非点収差図の縦軸は半画角ωを表し、実線Ｍはメリジオナル像面の値、破線Ｓはサジタル像面の値をそれぞれ示している。図３からわかるように、実施例１によれば、球面、非点の諸収差が良好に補正され、結像性能に優れた撮像レンズ１０１が得られる。
【００４２】
この実施例１における撮像レンズ１０１は、第２レンズに両凹となる樹脂の凹レンズ、第３レンズ１３０に屈折率が１．８５、アッべ数が２４相当のガラス材料を用いた場合の最適パワー配置と非球面形状を示した実施例となる。
【００４３】
図２に示すように、第１レンズ１１０は物体側に凸面を向けたメニスカス形状、第２レンズ１２０は両面凹となる形状、第３レンズ１３０は両凸形状、開口絞り１４０の像側に配置される第４レンズ１５０は両側に凸面を向けた両凸形状を有する。樹脂レンズはそれぞれ非球面を有する。
【００４４】
表３は、実施例１における撮像レンズ１０１の各面番号に対応した絞り、各レンズの曲率半径Ｒ、間隔Ｄ、屈折率Ｎｄ、およびアッべ数νｄを示している。表４は、所定面の非球面係数を示している。
＜数値実施例１＞
【００４５】
【表３】
2014186178.tif 000015
【００４６】
【表４】
2014186178.tif 000016
【実施例２】
【００４７】
実施の形態２における撮像レンズ１０２の基本構成は図４に示され、各数値データ（設定値）は表５、表６に、球面収差、および非点収差を示す収差図は図５にそれぞれ示される。図５は、実施例２において、左が球面収差を、右が非点収差をそれぞれ示している。縦収差図の縦軸は、瞳径を１に正規化したもので、非点収差図の縦軸は半画角ωを表し、実線Ｍはメリジオナル像面の値、破線Ｓはサジタル像面の値をそれぞれ示している。図５からわかるように、実施例２によれば、球面、非点の諸収差が良好に補正され、結像性能に優れた撮像レンズ１０２が得られる。
【００４８】
この実施例２における撮像レンズ１０２は、第２レンズに物体側面が凸となる樹脂のメニスカスレンズ、第３レンズ１３０に屈折率が１．９６、アッべ数が１７相当のガラス材料を用いた場合の最適パワー配置と非球面形状を示した実施例となる。
【００４９】
図４に示すように、第１レンズ１１０は物体側に凸面を向けたメニスカス形状、第２レンズ１２０は物体側に凸面を向けたメニスカス形状、第３レンズ１３０は平凸形状、開口絞り１４０の像側に配置される第４レンズ１５０は両側に凸面を向けた両凸形状を有する。各レンズはそれぞれ非球面を有する。
【００５０】
表５は、実施例２における撮像レンズ１０２の各面番号に対応した絞り、各レンズの曲率半径Ｒ、間隔Ｄ、屈折率Ｎｄ、およびアッべ数νｄを示している。表６は、所定面の非球面係数を示している。
＜数値実施例２＞
【００５１】
【表５】
2014186178.tif 000017
【００５２】
【表６】
2014186178.tif 000018
【実施例３】
【００５３】
実施の形態３における撮像レンズ１０３の基本構成は図６に示され、各数値データ（設定値）は表７、表８に、球面収差、および非点収差を示す収差図は図７にそれぞれ示される。図７は、実施例３において、左が球面収差を、右が非点収差をそれぞれ示している。縦収差図の縦軸は、瞳径を１に正規化したもので、非点収差図の縦軸は半画角ωを表し、実線Ｍはメリジオナル像面の値、破線Ｓはサジタル像面の値をそれぞれ示している。図７からわかるように、実施例３によれば、球面、非点の諸収差が良好に補正され、結像性能に優れた撮像レンズ１０３が得られる。
【００５４】
この実施例３における撮像レンズ１０３は、第２レンズに物体側面が凸となる樹脂のメニスカスレンズ、第３レンズ１３０に屈折率が１．９６、アッべ数が１７相当のガラス材料を用いた場合の最適パワー配置と非球面形状を示した第２の実施例となる。
【００５５】
図６に示すように、第１レンズ１１０は物体側に凸面を向けたメニスカス形状、第２レンズ１２０は物体側に凸面を向けたメニスカス形状、第３レンズ１３０は平凸形状、開口絞り１４０の像側に配置される第４レンズ１５０は両側に凸面を向けた両凸形状を有する。各レンズはそれぞれ非球面を有する。
【００５６】
表７は、実施例３における撮像レンズ１０３の各面番号に対応した絞り、各レンズの曲率半径Ｒ、間隔Ｄ、屈折率Ｎｄ、およびアッべ数νｄを示している。表８は、所定面の非球面係数を示している。
＜数値実施例３＞
【００５７】
【表７】
2014186178.tif 000019
【００５８】
【表８】
2014186178.tif 000020
【実施例４】
【００５９】
実施の形態４における撮像レンズ１０４の基本構成は図８に示され、各数値データ（設定値）は表９、表１０に、球面収差、および非点収差を示す収差図は図９にそれぞれ示される。図９は、実施例４において、左が球面収差を、右が非点収差をそれぞれ示している。縦収差図の縦軸は、瞳径を１に正規化したもので、非点収差図の縦軸は半画角ωを表し、実線Ｍはメリジオナル像面の値、破線Ｓはサジタル像面の値をそれぞれ示している。図９からわかるように、実施例４によれば、球面、非点の諸収差が良好に補正され、結像性能に優れた撮像レンズ１０４が得られる。
【００６０】
この実施例３における撮像レンズ１０４は、第１レンズ１１０の有効径を大きくした場合の実施例となる。
【００６１】
図８に示すように、第１レンズ１１０は物体側に凸面を向けたメニスカス形状、第２レンズ１２０は物体側に凸面を向けたメニスカス形状、第３レンズ１３０は平凸形状、開口絞り１４０の像側に配置される第４レンズ１５０は両側に凸面を向けた両凸形状を有する。各レンズはそれぞれ非球面を有する。
【００６２】
表９は、実施例４における撮像レンズ１０４の各面番号に対応した絞り、各レンズの曲率半径Ｒ、間隔Ｄ、屈折率Ｎｄ、およびアッべ数νｄを示している。表１０は、所定面の非球面係数を示している。
＜数値実施例４＞
【００６３】
【表９】
2014186178.tif 000021
【表１０】
2014186178.tif 000022
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００６４】
また、本実施形態の撮像レンズによれば、撮像素子を搭載するカメラ等に好適であり、小型、軽量且つ安価でありながら、高い光学性能を持つ広角撮像レンズを備えた撮像装置が実現できる。
【００６５】
図１０に本発明による撮像レンズ１００を用いた撮像装置の実施形態の断面図を示す。撮像レンズ１００およびＣＣＤ(Charge Coupled Device)やＣＭＯＳ(Complementary Mental-Oxide Semiconductor device)等の撮像素子２１０は筐体２２０によって位置関係を規定、保持される。このとき撮像レンズ１００の結像面１７０は撮像素子２１０の受光面に一致するように配置されている。
【００６６】
撮像レンズ１００によって取り込まれ、撮像素子２１０の受光面に結像した被写体像は、撮像素子２１０の光電変換機能によって電気信号に変換されて、画像信号として撮像装置２００から出力される。
【００６７】
上述のような撮像レンズ１００は、構成枚数が少なく、小型、軽量であるため、搭載スペースがコンパクトにできるので、様々な用途の撮像装置に適している。また広角撮像レンズでありながら、歪曲収差の発生を低減し、高い光学性能を持つ被写体像を撮像素子２１０に受光面上に結像でき、視認性に優れた画像信号を出力できるため、特に車載用カメラや監視用カメラ等において優位性の高い撮像装置の実現が可能である。
【符号の説明】
【００６８】
１００、１００Ａ、１００Ｂ、１０１〜１０４  …  撮像レンズ
１１０  …  第１レンズ
１２０  …  第２レンズ
１３０  …  第３レンズ
１４０  …  開口絞り
１５０  …  第４レンズ
１６０  …  カバーガラス（またはＩＲＣＦ）
１７０  …  結像面
２００  …  撮像装置
２１０  …  撮像素子
２２０  …  筐体
【図１】
2014186178.tif 000028
【図２】
2014186178.tif 000029
【図３】
2014186178.tif 000030
【図４】
2014186178.tif 000031
【図５】
2014186178.tif 000032
【図６】
2014186178.tif 000033
【図７】
2014186178.tif 000034
【図８】
2014186178.tif 000035
【図９】
2014186178.tif 000036
【図１０】
2014186178.tif 000037